(57)【要約】      （修正有）【課題】コーンバーを持ち上げて作業区域に侵入する人を検知可能な立入防止装置を提供する。【解決手段】円錐状のロードコーンには、バー本体２ａの先端部３に、リング部５を備えたコーンバー２が連結される。コーンバー２の先端部３から突出される円柱状のボタンノブ７ａは、ロードコーンへの装着の際に、外周面に当接して没入方向へ押圧されている。人がコーンバー２を持ち上げて作業区域に侵入しようすると、リング部５が外れて、押しボタンスイッチ７が開放される。これに伴い、フランジ部に取付けられている導通板は、接点と接触して電気的に導通する。警報部８は、スピーカ８ａから警報音を発生させるとともに、ＬＥＤ照光部８ｂから警報光を発光させて、侵入した者がいることを作業者に知らせるとともに、侵入した者に警告を行うことができる。【選択図】図１
0003216681.tif 000002
【実用新案登録請求の範囲】
【請求項１】
円錐状のロードコーン間を連結するコーンバーであって、
棒状のバー本体と、
前記バー本体の端部に設けられ、前記ロードコーンの上端部に装着されるリング部と、
前記リング部に設けられ、前記リング部が前記ロードコーンから外れた非装着状態となったことを検出する検出部と、
前記検出部が前記非装着状態を検出した場合に警報を発する警報部とを有することを特徴とするコーンバー。
【請求項２】
前記検出部は、前記リング部の内周面よりも内側で、径方向に出没可能な押しボタンスイッチを設け、
前記押しボタンスイッチは、前記ロードコーンの外側面に当接して押込まれた押込位置と、前記外側面への当接が開放されて、径方向に突出する突出位置とを有し、
前記警報部は、前記押しボタンスイッチが前記突出位置となった場合に警報を発することを特徴とする請求項１記載のコーンバー。
【請求項３】
前記警報部は、警報可能状態と、警報不能状態とに切替える、切替スイッチをさらに備えることを特徴とする請求項１または２に記載のコーンバー。
【請求項４】
前記警報部は、警報音を発生させるスピーカまたは警報光を発光させるＬＥＤ照光部のうち少なくとも何れか一方であることを特徴とする請求項１から請求項３のいずれか一項に記載のコーンバー。
【請求項５】
一対の円錐状のロードコーンと、
前記一対のロードコーン間を連結する請求項１から請求項４のいずれか一項に記載のコーンバーと、を備えた立入防止装置。
【考案の詳細な説明】
【技術分野】
【０００１】
本考案は、立入防止装置およびそれに用いるコーンバーに関する。
【背景技術】
【０００２】
従来の立入防止装置としては、工事等、道路上の作業が行われている作業区域の周囲に配置されるロードコーン（三角コーン、ラバーコーン、セーフティコーン、パイロン（Pylons）ともいう）およびコーンバーを用いて、車両侵入防止装置を設置することが知られている。
このような車両侵入防止装置では、ロードコーンまたはコーンバー内に設けられた振動検出用のセンサで車両の侵入が検知されると、警報部が警報を発する。
【先行技術文献】
【特許文献】
【０００３】
【特許文献１】特開２０００−９０３６２号公報
【考案の概要】
【考案が解決しようとする課題】
【０００４】
しかしながら、人がコーンバーを持ち上げて作業区域に侵入しようとする際、ロードコーンまたはコーンバーに検知可能な所望の衝撃が加わらない場合がある。この場合、人の侵入を検知するのは困難であった。
本考案は、コーンバーを持ち上げて作業区域に侵入する人を検知可能な立入防止装置およびそれに用いるコーンバーを提供することを目的とする。
【課題を解決するための手段】
【０００５】
本考案の立入防止装置は、円錐状のロードコーン間を連結するコーンバーであって、棒状のバー本体と、バー本体の端部に設けられ、ロードコーンの上端部に装着されるリング部と、リング部に設けられ、リング部がロードコーンから外れた非装着状態となったことを検出する検出部と、検出部が非装着状態を検出した場合に警報を発する警報部とを有することを特徴としている。
【考案の効果】
【０００６】
本考案によれば、コーンバーを持ち上げて作業区域に侵入する人を検知可能な立入防止装置が提供される。
【図面の簡単な説明】
【０００７】
【図１】本考案の実施形態にかかる立入防止装置およびそれに用いるコーンバーで、コーンバーの構成を説明する平面図である。
【図２】実施形態の立入防止装置で、要部の構成を説明する水平断面図である。
【図３】実施形態の立入防止装置で、ロードコーンにコーンバーを連結した様子を説明する斜視図である。
【図４】実施形態の立入防止装置で、ロードコーンからコーンバーが離脱する様子を説明する斜視図である。
【考案を実施するための形態】
【０００８】
以下、本考案の一実施形態について、適宜図面を参照しながら説明する。同一の構成要素には同一の符号を付し、重複する説明を省略する。方向を説明する際には、特に示さない限り、基本的にユーザから見た前後，左右あるいは上下に基づいて説明する。
【０００９】
この実施形態の立入防止装置１０は、図３に示すように、円錐状のロードコーン１と、ロードコーン１に連結されるコーンバー２とを備えている。コーンバー２は、丸棒状のバー本体２ａと、バー本体２ａの両先端部３に設けられて、ロードコーン１の外周面４に上方から装着される一対のリング部５とを設けている（図１参照）。この実施形態では、一方の先端部３を用いて説明する。
【００１０】
また、ロードコーン１は、底面を開放する中空円錐の樹脂製で、扁平方形状の台座部１ａの上にロードコーン本体１ｂが一体に形成されている。
ロードコーン本体１ｂは、側面視で略二等辺三角形の狭角となる上端に半円球状の頭部１ｃを一体に形成している。ロードコーン本体１ｂの水平方向断面は、円環状として周長を、ロードコーン本体１ｂの上方に向かうにつれて短くする。これにより、外側面は、所定の角度で傾斜するように形成される。
そして、台座部１ａの上面側には、所定の重さ（例えば約２ｋｇ）を有するコーンベース１ｄが載置されていて、ロードコーン１の転倒を防止している。
【００１１】
更に、実施形態の立入防止装置１０のコーンバー２は、図１に示すように、検出部としての押しボタンスイッチ７と、警報部８と、切替スイッチ９とを備えている。
このうち、図２に示す押しボタンスイッチ７は、コーンバー２の一方の先端部３に円柱状のボタンノブ７ａを有している。この実施形態の先端部３は、リング部５の内周面６よりも内側で、ロードコーン１の外周面４よりも外側に設けられている。そして、ボタンノブ７ａの押圧面７ｅは、先端部３に開口形成されたボタン孔３ｂから外方に向けて、径方向に出没可能に設けられている。
また、ボタンノブ７ａの後端７ｇ側には、円環状のフランジ部７ｆが外周面から一体に突設されている。そして、押しボタンスイッチ７は、軸方向に沿ってスライド移動可能でかつ、フランジ部７ｆによって抜止されている。
【００１２】
そして、押しボタンスイッチ７は、ボタンノブ７ａを先端部３から突出する方向へ付勢するスプリング７ｂを有している。スプリング７ｂは、一端をフランジ部７ｆに当接させるとともに、他端をコーンバー２に固定している。
【００１３】
さらに、押しボタンスイッチ７は、先端部３の内側面３ａに設けられた接点７ｃと、フランジ部７ｆのうち、スプリング７ｂの当接面とは反対側で、接点７ｃとの対向面に設けられる金属製の導通板７ｄとを有している。
このうち、導通板７ｄは、ボタンノブ７ａのスライド移動に伴って、対向する接点７ｃと近接離反する方向へ移動する。
そして、図３に示すように、ロードコーン１の外周面４に上方からリング部５が装着された装着状態では、押しボタンスイッチ７がスプリング７ｂの付勢力に抗して、コーンバー２内に押し込まれた押込位置となる（図２中二点鎖線位置）。この際、導通板７ｄは、対向する接点７ｃと離間して、電気的な導通が切断される。
【００１４】
また、図４に示すように、ロードコーン１からリング部５が持ち上げられて取外された非装着状態では、押しボタンスイッチ７がスプリング７ｂの付勢力によって、ボタン孔３ｂから突出した突出位置となる（図２中実線位置）。この際、導通板７ｄは、対向する接点７ｃと接触して、電気的に導通する。
【００１５】
さらに、警報部８は、ロードコーン１からコーンバー２が外れたことを押しボタンスイッチ７の状態から検知して、警報を発する。この実施形態の警報部８は、コーンバー２の側面に設けられるスピーカ８ａおよびＬＥＤ照光部８ｂとの両方を有している。
この実施形態の立入防止装置１０では、押しボタンスイッチ７がボタン孔３ｂから突出した突出状態となって、導通板７ｄが接点７ｃと接触して、電気的に導通する。これにより、押しボタンスイッチ７でリング部５の非装着状態が検出されたとして、警報部８のスピーカ８ａは、警報音を発生させるとともに、ＬＥＤ照光部８ｂは、警報光を発光させる。
【００１６】
さらに、この実施形態のコーンバー２には、ＯＮ，ＯＦＦ状態を切替え可能な切替スイッチ９が設けられている。切替スイッチ９は、警報部８を警報可能状態と、警報不能状態とに切替えることができる。
このうち、警報可能状態とは、切替スイッチ９をＯＮ状態として、電気的な導通を行えるようにすることで、ロードコーン１からコーンバー２が外れたことを押しボタンスイッチ７の状態から検知して、警報部８が警報を発することが可能となる状態である。
また、警報不能状態とは、切替スイッチ９をＯＦＦ状態として、電気的な導通を遮断することにより、押しボタンスイッチ７の状態に拘らず、警報部８が警報を発しない状態のことである。
【００１７】
次に、この実施形態の立入防止装置１０の作用効果について説明する。
この実施形態では、コーンバー２の切替スイッチ９をＯＦＦ状態として警報不能状態としたまま、図３に示すように、ロードコーン１の傾斜する外周面４に、コーンバー２の先端部３に形成されたリング部５を上方から被せるように装着する。
工事等、道路や建物敷地内で作業が行われている作業区域の周囲には、複数のロードコーン１がコーンバー２によって連結されて、仮囲いとなるように配置される。
そして、図２中二点鎖線で示すように、押しボタンスイッチ７がボタン孔３ｂに押込まれている押込位置であることを確認して、切替スイッチ９をＯＮ状態となるように作業者が操作する。
これにより、立入防止装置１０は、警報可能状態となる。
【００１８】
この状態で、人が図４に示すようにコーンバー２を持ち上げて作業区域に侵入しようすると、ロードコーン１の外周面４からリング部５が外れて、押しボタンスイッチ７が開放される。
そして、図２中実線で示すようにスプリング７ｂの付勢力で押しボタンスイッチ７は、ボタン孔３ｂから突出する方向にスライド移動する。このため、押しボタンスイッチ７は、突出位置となりフランジ部７ｆに取付けられている導通板７ｄは、接点７ｃと接触して電気的に導通する。
【００１９】
これにより、警報部８は、押しボタンスイッチ７でリング部５が装着されていない非装着状態が検出されたとして、スピーカ８ａから警報音を発生させるとともに、ＬＥＤ照光部８ｂから警報光を発光させて、侵入した者がいることを作業者に知らせるとともに、侵入した者に警告を行うことができる。
したがって、コーンバー２を持ち上げて作業区域に侵入する人を検知可能な立入防止装置が提供される。
【００２０】
簡便な押しボタンスイッチ７を用いて、確実に検知可能な検出部を構成することが可能となり、高価なレーザー光照射装置や、振動検出用のセンサ等が不要となる。
【００２１】
また、コーンバー２を運搬中、切替スイッチ９をＯＦＦ状態として警報不能状態とすることができる。このため、ロードコーン１に連結される前に、警報部８が作動してしまうことを防止できる。
【００２２】
さらに、警報部８は、スピーカ８ａから警報音を発生させるとともに、ＬＥＤ照光部８ｂから警報光を発光させて、侵入した者がいることを作業者に知らせる。このため、侵入した者がいることが分かりやすい。また、侵入した者に警告を行うことができる。このため、侵入した者が自主的に退去するように促すことができる。
【００２３】
本考案は、実施形態に限定されるものではなく、種々の変形が可能である。上述した実施形態は本考案を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、たとえば以下のようなものである。
【００２４】
この実施形態の立入防止装置１０では、コーンバー２の一方の先端部３に押しボタンスイッチ７を備えている。
しかしながら、特にこれに限らず、他方の先端部３や、リング部５の内側面に、押しボタンスイッチ７のうち一部または全部が備えられていてもよい。
すなわち、コーンバー２がロードコーン１から外れると、押しボタンスイッチ７が突出状態となり、警報部８が警報を発するものであれば、リング部５と同じ位置のバー本体２ａの両先端部３に限らない。たとえば、リング部５の内周面６とロードコーン１の外周面４との間の何れの位置であってもよい。
【００２５】
また、この実施形態では、検出部として押しボタンスイッチ７を設けているが特にこれに限らず、たとえば、ヒンジ形状の開閉スイッチやフックスイッチ等、検出部の形状、数量および非装着状態の検出方法が特にこの実施形態に限定されるものではない。
【００２６】
さらに、この実施形態の立入防止装置１０では、警報部８にスピーカ８ａおよびＬＥＤ照光部８ｂを設けているが特にこれに限らない。たとえば、スピーカ８ａまたはＬＥＤ照光部８ｂのうち、何れか一方であってもよい。また、スピーカ８ａまたはＬＥＤ照光部８ｂに代えてまたは加えて、警告灯や警告を表示するデジタルサイネージ等の掲示板など、他の警告手段と組み合せて、もしくは、単独で用いてもよい。さらに警報部８をリング部５またはロードコーン１に設けてもよく、警報部８の形式、数量、装着場所および警告方法が特に限定されるものではない。
【符号の説明】
【００２７】
１      ロードコーン
２      コーンバー
５      リング部
７      押しボタンスイッチ（検出部）
８      警報部
１０    立入防止装置
【図１】
0003216681.tif 000003
【図２】
0003216681.tif 000004
【図３】
0003216681.tif 000005
【図４】
0003216681.tif 000006